(57)【要約】      （修正有）【課題】個人の身体的特徴に合わせて形の異なる眼鏡等の希少品を安全に持ち運び保管するケースを提供する。【解決手段】個人の身体的特徴に応じて様々な形をした眼鏡３またはサングラスに沿った窪み２を持つ、木材１または樹脂で作られたケースである。【選択図】図１
0003214891.tif 000002
【実用新案登録請求の範囲】
【請求項１】
個人の身体的特徴に応じて様々な形をした眼鏡等の形に沿った窪みを持つ、木材等切削が自由にできる材料で作られたケース。
【請求項２】
複数個の眼鏡ケースを統一感持って整理整頓できる収納具
【考案の詳細な説明】
【技術分野】
【０００１】  本考案は個人の身体的特徴により形の異なる眼鏡等をより安全に持ち運び収納できるケースと複数のそれらを統一感持って保管する方法に関するものである。
【背景技術】
【０００２】  眼鏡等は様々な形状があり、またさらに個人の目や鼻の位置に調整されている。それらを持ち運ぶケースは、ある程度の余裕を見た公約数的な収納スペースを持つケースが用意され内部で暴れる、容積が大きい、統一感がない、収納の機能性がないなど問題があった。
【先行技術文献】
【特許文献】
【０００３】
【特許文献１】特開２００１−３７５２０
【考案の概要】
【考案が解決しようとする課題】
【０００４】  眼鏡の持ち運び保管のために、眼鏡の形状に沿った内装材とそれを収容するケースを用意しているが、それらを別々に製造しているため手間がかかる。ケースは汎用のものになり収納時に要求される専用性が少ない。
【課題を解決するための手段】
【０００５】  本考案は簡単に切削できかつ適度な強度を持つ木材等をケースの材料に利用することで、眼鏡等の形状に沿った内部空間と収納に適した外形を持つ専用ケースが簡単に製造できる。
【考案の効果】
【０００６】  収納する眼鏡等の形状に沿った窪みをケース本体に直接切削することで、ケースと内装材を別々に作る手間が省ける。また外形も眼鏡等の形に対して最小の容積のものや、複数個を統一した外観で整理整頓できる支持具や箪笥状の収納庫に合わせて作るなど、持ち運びや保管に要求される性能を自由により高度に実現できる。
【図面の簡単な説明】
【０００７】
【図１】本考案の眼鏡等貴重品専用ケースの実施例を示す正面図である。
【図２】本考案の横からの断面図である。
【図３】本考案のケースの収納具である。
【考案を実施するための形態】
【０００８】  収納する眼鏡等を納める木材等を用意し、収納するための窪みを材料に写す、またコンピューター画面に打ち込む。窪みの切削をドリル、フライス盤、ＮＣルーターなどの工具により切削する。またケース外形も単一で最小の形や統一感を持って保管するための箪笥や支持具に即した形状に切削する。
【実施例】
【０００９】  以下添付図面に従って説明する。１は木材等自由に切削できる材料である。これは眼鏡等の大きさや収納の目的に合わせて形作られる。２はその材料に収容する眼鏡等の形の沿った窪みである。手作業やコンピューターによって設計され、ドリルやルーターなどによって加工される。３は目的の眼鏡等である。４は眼鏡等ケースを複数納める収納具である。
0003214891.tif 000003
【図３】
0003214891.tif 000004
【手続補正書】
【提出日】平成29年8月10日(2017.8.10)
【手続補正１】
【補正対象書類名】実用新案登録請求の範囲
【補正対象項目名】全文
【補正方法】変更
【補正の内容】
【実用新案登録請求の範囲】
【請求項１】
個人の身体的特徴に応じて様々な形をした眼鏡、サングラスに沿った窪みを持つ、木材、樹脂で作られたケース。
【請求項２】
眼鏡、サングラスに沿った窪みを複数個持つケース。
【手続補正２】
【補正対象書類名】明細書
【補正対象項目名】全文
【補正方法】変更
【補正の内容】
【考案の詳細な説明】
【技術分野】
【０００１】本考案は個人の身体的特徴により形の異なる眼鏡、サングラスをより安全に持ち運び収納できるケースに関するものである。
【背景技術】
【０００２】眼鏡、サングラスは様々な形状があり、また、さらに個人の目や鼻の位置に調整されている。それらを持ち運ぶケースは、汎用的な、ある程度の余裕を見た公約数的な収納スペースを持つケースが用意され、眼鏡が内部で暴れる、容積が大きい、など問題があった。
【先行技術文献】
【特許文献】
【０００３】
【特許文献１】特開２００１−３７５２０
【考案の概要】
【考案が解決しようとする課題】
【０００４】眼鏡、サングラスの持ち運び保管のために、眼鏡の形状に沿った内装材とそれを収容するケースを用意しているが、それらを別々に製造しているため手間がかかる。ケースは汎用のものになり収納物に対する専用性が少ない。
【課題を解決するための手段】
【０００５】簡単に切削できかつ適度な強度を持つ木材、樹脂をケースの材料に利用することで、眼鏡、サングラスの形状に沿った内部空間と収納に適した外形を持つ一重構造の専用ケースが簡単に製造できる。
【考案の効果】
【０００６】収納する眼鏡、サングラスの形状に沿った窪みをケース本体に直接切削することで、ケースと内装材を別々に作る手間が省ける。また外形も持ち運びに適した単一収容のケースや、所有する複数の眼鏡のためのそれぞれの形に沿った溝を持つ保管に適したケースなどを要求される性能を自由により高度に実現できる。
【図面の簡単な説明】
【０００７】
【図１】本考案の眼鏡、サングラスの形状に沿った内部溝を持ったケースの実施例を示す正面図である。
【図２】本考案の横からの断面図である。
【図３】複数個の溝を持つケースの正面図である。
【考案を実施するための形態】
【０００８】眼鏡、サングラスを納める木材、樹脂を用意し、収納する内部溝の形を材料に写す、またコンピューター画面に打ち込む。窪みの切削をドリル、フライス盤、ＮＣルーターなどの工具により切削する。またケース外形も要求される形に切削する。
【実施例】
【０００９】以下添付図面に従って説明する。１は自由に切削できる木材、樹脂である。これは眼鏡、サングラスの大きさや収納の目的に合わせて形作られる。２はその材料に収容する眼鏡、サングラスの形の沿った窪みである。手作業やコンピューターによって設計され、ドリルやルーターによって加工される。３は目的の眼鏡、サングラスである。
【手続補正３】
【補正対象書類名】図面
【補正対象項目名】全図
【補正方法】変更
【補正の内容】
【図１】
0003214891.tif 000005
【図２】
0003214891.tif 000006
【図３】
0003214891.tif 000007
【手続補正書】
【提出日】平成29年11月19日(2017.11.19)
【手続補正１】
【補正対象書類名】実用新案登録請求の範囲
【補正対象項目名】全文
【補正方法】変更
【補正の内容】
【実用新案登録請求の範囲】
【請求項１】
個人の身体的特徴に応じて様々な形をした眼鏡またはサングラスに沿った窪みを持つ、木材または樹脂で作られたケース。
【請求項２】
前項窪みを複数個持つことを特徴とする、請求項１に記載のケース。
【手続補正２】
【補正対象書類名】明細書
【補正対象項目名】全文
【補正方法】変更
【補正の内容】
【考案の詳細な説明】
【技術分野】
【０００１】本考案は個人の身体的特徴により形の異なる眼鏡、サングラスをより安全に持ち運び収納できるケースに関するものである。
【背景技術】
【０００２】眼鏡、サングラスは様々な形状があり、また、さらに個人の目や鼻の位置に調整されている。それらを持ち運ぶケースは、汎用的な、ある程度の余裕を見た公約数的な収納スペースを持つケースが用意され、眼鏡が内部で暴れる、容積が大きい、など問題があった。
【先行技術文献】
【特許文献】
【０００３】
【特許文献１】特開２００１−３７５２０
【考案の概要】
【考案が解決しようとする課題】
【０００４】眼鏡、サングラスの持ち運び保管のために、眼鏡の形状に沿った内装材とそれを収容するケースを用意しているが、それらを別々に製造しているため手間がかかる。ケースは汎用のものになり収納物に対する専用性が少ない。
【課題を解決するための手段】
【０００５】簡単に切削できかつ適度な強度を持つ木材、樹脂をケースの材料に利用することで、眼鏡、サングラスの形状に沿った内部空間と収納に適した外形を持つ一重構造の専用ケースが簡単に製造できる。
【考案の効果】
【０００６】収納する眼鏡、サングラスの形状に沿った窪みをケース本体に直接切削することで、ケースと内装材を別々に作る手間が省ける。また外形も持ち運びに適した単一収容のケースや、所有する複数の眼鏡のためのそれぞれの形に沿った溝を持つ保管に適したケースなどを要求される性能を自由により高度に実現できる。
【図面の簡単な説明】
【０００７】
【図１】本考案の眼鏡、サングラスの形状に沿った内部溝を持ったケースの実施例を示す正面図である。
【図２】本考案の横からの断面図である。
【図３】複数個の溝を持つケースの正面図である。
【考案を実施するための形態】
【０００８】眼鏡、サングラスを納める木材、樹脂を用意し、収納する内部溝の形を材料に写す、またコンピューター画面に打ち込む。窪みの切削をドリル、フライス盤、ＮＣルーターなどの工具により切削する。またケース外形も要求される形に切削する。
【実施例】
【０００９】以下添付図面に従って説明する。１は自由に切削できる木材、樹脂である。これは眼鏡、サングラスの大きさや収納の目的に合わせて形作られる。２はその材料に収容する眼鏡、サングラスの形の沿った窪みである。手作業やコンピューターによって設計され、ドリルやルーターによって加工される。３は目的の眼鏡、サングラスである。
【手続補正３】
【補正対象書類名】図面
【補正対象項目名】全図
【補正方法】変更
【補正の内容】
【図１】
0003214891.tif 000008
【図２】
0003214891.tif 000009
【図３】
0003214891.tif 000010